(57)【特許請求の範囲】
【請求項１】
圃場に溝を形成するための作溝装置と、該溝に被農作業対象物である種子、肥料、薬、または苗を配置するための配置装置と、当該配置装置により配置された前記被農作業対象物の少なくとも一部分に覆土するための覆土装置と、前記作溝装置、前記配置装置、および前記覆土装置を支持する本体と、を備える農用作業機であって、前記覆土装置が、前記農用作業機の本体に揺動自在に支持された覆土アームと、当該覆土アームの自由端部に取り付けられた覆土ディスクと、当該覆土ディスクの圃場に対する加圧力を調節するために前記農用作業機の本体と前記覆土アームとに架設された覆土アーム付勢機構と、を含み、前記覆土アームが、前記覆土ディスクの位置を前記農用作業機の進行方向と交差する方向に調節可能にし且つ前記覆土ディスクの前記農用作業機の進行方向に対する傾斜角度を調節可能にするディスク位置角度調節機構を有する農用作業機において、
前記ディスク位置角度調節機構が、
前記覆土ディスクが取り付けられる前記覆土アームの自由端部に相当する一端部を有する棒状部材と、
前記農用作業機の本体に枢支される一端部を有する前記覆土アームの本体の他端部に形成された、前記棒状部材の他端部が挿通可能で且つ当該他端部を保持可能な棒状部材保持機構と、を含み、
前記棒状部材がその一端部と他端部との間に曲げ部を有し、それにより前記棒状部材の一端部が他端部に対して傾斜していることを特徴とする農用作業機。
【請求項２】
圃場に溝を形成するための作溝装置と、該溝に被農作業対象物である種子、肥料、薬、または苗を配置するための配置装置と、当該配置装置により配置された前記被農作業対象物の少なくとも一部分に覆土するための覆土装置と、前記作溝装置、前記配置装置、および前記覆土装置を支持する本体と、を備える農用作業機であって、前記覆土装置が、前記農用作業機の本体に揺動自在に支持された覆土アームと、当該覆土アームの自由端部に取り付けられた覆土ディスクと、当該覆土ディスクの圃場に対する加圧力を調節するために前記農用作業機の本体と前記覆土アームとに架設された覆土アーム付勢機構と、を含み、前記覆土アームが、前記覆土ディスクの位置を前記農用作業機の進行方向と交差する方向に調節可能にし且つ前記覆土ディスクの前記農用作業機の進行方向に対する傾斜角度を調節可能にするディスク位置角度調節機構を有する農用作業機において、
前記ディスク位置角度調節機構が、前記農用作業機の本体に枢支される一端部を有する前記覆土アームの本体の他端部が挿入可能で且つ当該他端部を保持可能なアーム本体保持機構を含み、
前記アーム本体保持機構は、前記覆土ディスクが取り付けられる前記覆土アームの自由端部に相当する一端部を有し、
前記アーム本体保持機構に前記覆土アームの本体の他端部が挿入された際、当該覆土アームの本体の他端部の軸線が、前記覆土ディスクの軸線に対して交差することを特徴とする農用作業機。
【発明の詳細な説明】
【技術分野】
【０００１】
本発明は、播種するための播種機、施肥するための施肥機、農薬等の薬剤を播くための施薬機、苗を植え付けるための移植機、等といった農用作業機に関し、より詳細には、作溝装置、配置装置、および覆土装置を備え、作溝装置により圃場に溝を形成し、該溝に被農作業対象物を配置装置により配置し、そしてその配置された被農作業対象物の少なくとも一部分を覆土装置で覆土するように構成された農用作業機の覆土機構に関する。
【背景技術】
【０００２】
例えば、トラクター等の車両の後部に装着され、当該車両に牽引されながら、上記作溝装置である作溝ディスクにより圃場に溝を形成し、該溝に上記被農作業対象物である種子を上記配置装置である播種装置により播き、そしてその播かれた種子を覆土装置で覆土した後、その覆土した土を鎮圧装置で鎮圧するように構成された播種機は、農用作業機の一例として、従来から知られ且つ用いられている。
【０００３】
特に、トラクター等の車両に牽引されながら播種を行なう播種機能だけでなく同時に施肥も行なう施肥機能も有する播種機は、一般に『施肥播種機』と呼ばれ（例えば、特許文献１参照）、播種機の一例として従来から知られている。尚、この施肥播種機の場合、上記被農作業対象物に相当するものが種子および肥料であることは言うまでもない。
【０００４】
従来の農用作業機の覆土装置は、農用作業機の本体であるディスクフレーム（『ローラーフレーム』とも称される。）に揺動自在に支持された覆土アームと、当該覆土アームの自由端に回転自在に取り付けられ、農用作業機の進行方向と交差するように所定の傾斜角度を持って延長する覆土ディスクと、当該覆土ディスクの圃場に対する加圧力を調節するためにディスクフレームと覆土アームとに架設された圧縮バネ機構と、を備えている。
【０００５】
このように構成された農用作業機の覆土装置によれば、覆土アームと圧縮バネ機構の協働により覆土ディスクが圃場の凸凹面に追随するように上下動自在となっているが、圃場の土質状態に応じて覆土量（即ち、覆土ディスクにより、種子、肥料、等に被せられる土の量）を調節するには、圃場に対する覆土ディスクの加圧力が所望の加圧力となるように覆土アームに対する圧縮バネ機構の付勢力の調節を行なう。
【特許文献１】特開２００３−１２５６１１号公報（段落［０００８］〜段落［００１１］、図１）
【発明の開示】
【発明が解決しようとする課題】
【０００６】
しかしながら、圧縮バネ機構の調節のみでは覆土量の調節範囲が狭く、特に覆土量を十分増加させることが困難であった。そのため、例えば耕起されていない圃場等といった覆土量が減少し易い土質状態の圃場においても十分な覆土量が得られるように調節可能な農用作業機の登場（より詳細には農用作業機に装着可能な覆土装置の登場）が望まれている。
【０００７】
本発明は、上述した事情に鑑みてなされたものであり、その目的は、覆土量が減少し易い土質状態の圃場においても十分な覆土量を得ることができる農用作業機、および農用作業機に装着可能な覆土装置を提供することにある。
【課題を解決するための手段】
【０００８】
前述した目的を達成するため、本発明に係る農用作業機は、下記（１）〜（３）を特徴としている。
（１）  圃場に溝を形成するための作溝装置と、該溝に被農作業対象物を配置するための配置装置と、当該配置装置により配置された被農作業対象物の少なくとも一部分に覆土するための覆土装置と、前記作溝装置、前記配置装置、および前記覆土装置を支持する本体と、を備える農用作業機であって、
前記覆土装置が、前記農用作業機の本体に揺動自在に支持された覆土アームと、当該覆土アームの自由端部に取り付けられた覆土ディスクと、当該覆土ディスクの圃場に対する加圧力を調節するために前記農用作業機の本体と前記覆土アームとに架設された覆土アーム付勢機構と、を含み、
前記覆土アームが、前記覆土ディスクの位置を前記農用作業機の進行方向と交差する方向に調節可能にし且つ前記覆土ディスクの前記農用作業機の進行方向に対する傾斜角度を調節可能にするディスク位置角度調節機構を有すること。
（２）  上記（１）の前記ディスク位置角度調節機構が、
前記覆土ディスクが取り付けられる前記覆土アームの自由端部に相当する一端部を有する棒状部材と、
前記農用作業機の本体に枢支される一端部を有する前記覆土アームの本体の他端部に形成された、前記棒状部材の他端部が挿通可能で且つ当該他端部を保持可能な棒状部材保持機構と、
を含み、
前記棒状部材がその一端部と他端部との間に曲げ部を有し、それにより前記棒状部材の一端部が他端部に対して傾斜していること。
（３）  上記（１）の前記ディスク位置角度調節機構が、前記農用作業機の本体に枢支される一端部を有する前記覆土アームの本体の他端部が挿入可能で且つ当該他端部を保持可能なアーム本体保持機構を含み、
前記アーム本体保持機構は、前記覆土ディスクが取り付けられる前記覆土アームの自由端部に相当する一端部を有し、
前記アーム本体保持機構に前記覆土アームの本体の他端部が挿入された際、当該覆土アームの本体の他端部の軸線が、前記覆土ディスクの軸線に対して交差すること。
【０００９】
また、前述した目的を達成するため、本発明に係る覆土装置は、下記（４）〜（６）を特徴としている。
（４）  圃場に溝を形成し、該溝に被農作業対象物を配置し、そしてその配置された被農作業対象物の少なくとも一部分に覆土する農用作業機に装着可能な覆土装置であって、
前記農用作業機の本体に揺動自在に支持されるように取付可能な覆土アームと、当該覆土アームの自由端部に取り付けられた、前記種子を覆土するための覆土ディスクと、当該覆土ディスクの圃場に対する加圧力を調節するために前記農用作業機の本体と前記覆土アームとに架設されるように取付可能な覆土アーム付勢機構と、を含み、
前記覆土アームが、前記覆土ディスクの位置を前記農用作業機の進行方向と交差する方向に調節可能にし且つ前記覆土ディスクの前記農用作業機の進行方向に対する傾斜角度を調節可能にするディスク位置角度調節機構を有していること。
（５）  上記（４）の前記ディスク位置角度調節機構が、
前記覆土ディスクが取り付けられる前記覆土アームの自由端部に相当する一端部を有する棒状部材と、
前記農用作業機の本体に枢支される一端部を有する前記覆土アームの本体の他端部に形成された、前記棒状部材の他端部が挿通可能で且つ当該他端部を保持可能な棒状部材保持機構と、
を含み、
前記棒状部材がその一端部と他端部との間に曲げ部を有し、それにより前記棒状部材の一端部が他端部に対して傾斜していること。
（６）  上記（４）の前記ディスク位置角度調節機構が、前記農用作業機の本体に枢支される一端部を有する前記覆土アームの本体の他端部が挿入可能で且つ当該他端部を保持可能なアーム本体保持機構を含み、
前記アーム本体保持機構は、前記覆土ディスクが取り付けられる前記覆土アームの自由端部に相当する一端部を有し、
前記アーム本体保持機構に前記覆土アームの本体の他端部が挿入された際、当該覆土アームの本体の他端部の軸線が、前記覆土ディスクの軸線に対して交差すること。
【発明の効果】
【００１０】
本発明によれば、覆土装置の覆土アームが、覆土ディスクの位置を農用作業機の進行方向と交差する方向に調節可能にし且つ覆土ディスクの農用作業機の進行方向に対する傾斜角度を調節可能にするディスク位置角度調節機構を有するので、覆土量が減少し易い土質状態の圃場においても十分な覆土量を得ることができる。
【００１１】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１２】
以下、本発明に係る複数の実施形態を図面に基づいて詳細に説明する。尚、ここでは、トラクター等の車両の後部に装着可能であって、当該車両に牽引されながら播種を行なう播種機能だけでなく同時に施肥も行なう施肥機能も有する施肥播種機に本発明を適用し、本発明に係る農用作業機の実施形態として説明する。
【００１３】
図１は本発明に係る農用作業機の第１実施形態である施肥播種機の斜視図、図２は図１に示される施肥播種機のＩＩ−ＩＩ矢視断面図、図３は図１の施肥播種機に設けられた覆土装置の要部（特に、ディスク位置角度調節機構）の拡大斜視図、図４は図１の施肥播種機に設けられた覆土装置の覆土アームの本体の側面図、図５は図４の覆土アームの本体の上面図、図６は図４の覆土アームの本体の要部（特に、棒状部材保持機構）を示す図、図７は図１の施肥播種機に設けられた覆土装置の覆土アームの棒状部材の側面図、図８は図３の覆土装置の要部の作用を説明するための覆土装置の要部側面図、図９は本発明に係る農用作業機の第２実施形態である施肥播種機の斜視図、そして図１０（ａ）および図１０（ｂ）は図９の施肥播種機に設けられた覆土装置の要部（特に、アーム本体保持機構）の作用を説明するための覆土装置の要部側面図である。
【００１４】
尚、以下の説明では、施肥播種機を牽引するトラクター等の車両が進行する方向（換言すれば、施肥播種機の進行方向）である図１、図２および図９中の矢印Ａ方向の下流側を施肥播種機の前側、そして矢印Ａの方向の上流側を施肥播種機の後側とする。
【００１５】
（第１実施形態）
図１〜図８を参照して本発明に係る農用作業機の第１実施形態を説明する。図１および図２に示されるように、本発明の第１実施形態である施肥播種機１は、圃場に溝を形成する作溝装置である一対の作溝ディスク１９と、該溝に施肥播種機１の被農作業対象物である種子を播く播種装置（即ち、該溝に種子を配置する配置装置）３６と、当該播種装置３６により播かれた種子を覆土する覆土装置３８と、当該覆土装置３８により覆土した土を鎮圧する鎮圧装置である鎮圧ローラー２３と、作溝ディスク１９、播種装置３６、覆土装置３８および鎮圧ローラー２３を支持する本体であるディスクフレーム１７と、を備える。
【００１６】
覆土装置３８は、ディスクフレーム１７に揺動自在に支持される覆土アーム２０と、当該覆土アーム２０の自由端部に回転自在に取り付けられた覆土ディスク２１と、当該覆土ディスク２１の圃場に対する加圧力を調節するためにディスクフレーム１７と覆土アーム２０とに架設された覆土アーム付勢機構である圧縮バネ機構２４と、を含む。
【００１７】
覆土アーム２０は、覆土ディスク２１の位置を矢印Ａ方向と交差する方向に調節可能にし且つ覆土ディスク２１の矢印Ａ方向に対する傾斜角度を調節可能にするディスク位置角度調節機構３９を有する。
【００１８】
このように構成された施肥播種機１の詳細について以下に説明する。
【００１９】
施肥播種機１は、その本体であるディスクフレーム１７の前上部に設けた取付フレーム３５がトラクター等の車両の後部に設けた四角柱状のツールバー（不図示）に装着され、左右に位置調整可能とされている。また、該取付フレーム３５の後部には播種フレーム（不図示）が固設され、該播種フレームの後部には肥料用の繰出装置６が固設され、該繰出装置６の後部には種子用の繰出装置７が固定され、そして該繰出装置６，７の上部に、一体のホッパー４，５が脱着可能に取り付けられている。
【００２０】
ディスクフレーム１７の前方下端部には作溝ディスク１９，１９が平面視Ｖ字状に回転自在に軸支されている。また、ディスクフレーム１７の後端部には鎮圧ローラー２３が回転自在に軸支されている。
【００２１】
繰出装置６の下部にはガイドロート８が配設され、ガイドロート８の下端に蛇腹状部を有する施肥用のガイドパイプ１０が連通するように配置されている。ガイドパイプ１０は、図２に示されるようにディスクフレーム１７の側面から突出し且つ作溝ディスク１９の一方の側面付近にまで延長している。
【００２２】
繰出装置７の下部にはガイドロート９が配設され、ガイドロート９の下端に蛇腹状部を有する播種用のガイドパイプ１２が連通するように配置されている。ガイドパイプ１２は、図１に示されるようにディスクフレーム１７の下面から突出し且つ作溝ディスク１９，１９の間に延長している。尚、上述した播種装置３６は、種子用のホッパー５、種子用の繰出装置７、種子用のガイドロート９、および種子用のガイドパイプ１２等を総称したものである。
【００２３】
ディスクフレーム１７の前方両側部と取付フレーム３５の下方両側部にはそれぞれ平行リンク１５，１６が枢支されながら架設され、そして平行リンク１５のディスクフレーム１７側の枢支軸と平行リンク１６の取付フレーム３５側の枢支軸とにバネ１４がそれぞれ架設されている。
【００２４】
平行リンク１６の一方のディスクフレーム１７側の枢支軸には、覆土アーム２０の本体２５の一端部に形成された筒状の枢支部材２６が回転自在に遊嵌されている。また、覆土アーム２０の本体２５の他端部には棒状部材保持機構３１が形成されている。尚、覆土アーム２０の本体２５は、施肥播種機１の本体１７の軸線と平行（換言すれば、図２の矢印Ａ方向と平行）に延長し且つ、その一端部と他端部との間の所定箇所が湾曲しており、一端部と比較して他端部がより下方に向かって延長されている。
【００２５】
棒状部材保持機構３１は、図１〜図６に示されるように、その筒状の本体３１ａの周壁に本体３１ａの内部空間と連通するネジ穴３１ｂを有し、そのネジ穴３１ｂにネジ３１ｃを螺合させたものであり、図７に示される断面円形の棒状部材３２を本体３１ａに挿通可能で且つネジ３１ｃで保持可能である。棒状部材保持機構３１の本体３１ａの棒状部材３２を挿通させる内部空間は、施肥播種機１の本体１７の軸線と交差する方向（換言すれば、図２の矢印Ａ方向と交差する方向）に延長している。尚、上述したディスク位置角度調節機構３９は、棒状部材保持機構３１および棒状部材３２等を総称したものである。
【００２６】
棒状部材３２は、覆土ディスク２１が取り付けられる覆土アーム２０の自由端部に相当する一端部３２ａを有し、そして棒状部材保持機構３１の本体３１ａに挿通され且つネジ３１ｃにより本体３１ａの内周面に押し付けられることにより本体３１ａに保持される他端部３２ｂを有している。尚、覆土ディスク２１は、その中央孔が棒状部材３２の一端部３２ａの支軸３２ｅに遊嵌し、ナット３２ｆ等により抜け止めされる。
【００２７】
また、棒状部材３２は、一端部３２ａと他端部３２ｂとの間に曲げ部３２ｃを有し、それにより棒状部材３２の一端部３２ａが他端部３２ｂに対して傾斜している。つまり、棒状部材３２の一端部３２ａと他端部３２ｂは互いに偏心している。棒状部材３２の他端部３２ｂには穴が形成されており、その穴に棒状部材保持機構３１の本体３１ａからの抜けを防止するためのピン３２ｄが嵌合される。
【００２８】
このように構成されたディスク位置角度調節機構３９によれば、ネジ３１ｃを回動してネジ３１ｃによる押し付けを弛めて棒状部材３２の他端部３２ｂを棒状部材保持機構３１の本体３１ａ内でスライド可能且つ回動可能な状態にし、棒状部材３２をスライドさせて覆土ディスク２１の位置を矢印Ａ方向と交差する方向における所望の位置に調節し且つ棒状部材３２を回動して覆土ディスク２１の矢印Ａ方向に対する傾斜角度を所望の角度に調節してから、ネジ３１ｃを今度は逆方向に回動して棒状部材３２を本体３１ａに保持させる。
【００２９】
圧縮バネ機構２４は、ディスクフレーム１７に立設された付勢板１８の穴に挿通される一端部を有し且つ覆土アーム２０の本体２５に形成された枢支板２５ａに枢支される他端部を有する支持ロッド２４ａと、付勢板１８の穴からの支持ロッド２４ａの一端部の抜けを防止するためのピン２４ｂと、覆土アーム２０への付勢力（即ち、覆土ディスク２１の圃場に対する加圧力）の多段階調節を可能とするために支持ロッド２４ａの長手方向に並設された複数の穴と選択的に嵌合する調節ピン２４ｃと、当該調節ピン２４ｃとディスクフレーム１７の付勢板１８との間に介在される圧縮バネ２４ｄと、を備えた公知の構成である。
【００３０】
この圧縮バネ機構２４は、施肥播種機１が圃場を走行する際に、揺動自在な覆土アーム２０によって上下動する覆土ディスク２１が圃場の凸凹面に略一定圧で押し付けられながら追随するように作用する。
【００３１】
上記構成の施肥播種機１を用いて農作業を行なう場合、ホッパー４には粉粒状肥料、そしてホッパー５には種子が充填される。そして施肥播種機１を後部に装着したトラクター等の車両を前進させると、作溝ディスク１９により圃場には断面Ｖ字状の溝ができ、図示しない駆動機構により繰出装置６，７が駆動され、ホッパー４から繰出装置６、ガイドロート８、そしてガイドパイプ１０を経て、圃場に形成された溝から所定距離離れた位置に肥料が投下されるとともに、ホッパー５から繰出装置７、ガイドロート９、そしてガイドパイプ１２を経て、種子が該溝に投下され、覆土ディスク２１により該肥料および該種子が覆土され、そしてその覆土した土が鎮圧ローラー２３により鎮圧される。
【００３２】
その際の覆土装置３８の作用について図８を参照しながら説明する。矢印Ａ方向に対し傾斜しながら（つまり、矢印Ａ方向と交差する方向に）延長する覆土ディスク２１が、施肥播種機１の矢印Ａ方向への進行に伴い圃場を掻いて土を肥料および種子に被せる。例えば、土質が硬い圃場、耕起されていない圃場、等といった覆土量が減少し易い土質状態の圃場においても十分な覆土量が得られるように施肥播種機１を効果的に作用させるには、圧縮バネ機構２４の覆土アーム２０への付勢力（即ち、覆土ディスク２１の圃場に対する加圧力）を増加させるだけでなく、覆土装置３８のディスク位置角度調節機構３９の調節も適宜行なう。具体的には、図８に示されるように、棒状部材３２を矢印Ａ方向と交差する方向にスライドさせて棒状部材保持機構３１から引き出しながら棒状部材３２を回転させて覆土ディスク２１の矢印Ａ方向に対する傾斜角度を大きくする。尚、この調節による変化は、図８において実線で示される調節前の覆土ディスク２１と２点鎖線で示される調節後の覆土ディスク２１との違いから理解されるであろう。
【００３３】
以上、説明したように、本発明の第１実施形態である施肥播種機１（より詳細には、覆土装置３８）によれば、覆土装置３８の覆土アーム２０が、覆土ディスク２１の位置を施肥播種機１の進行方向と交差する方向に調節可能にし且つ覆土ディスク２１の施肥播種機１の進行方向に対する傾斜角度を調節可能にするディスク位置角度調節機構３９を有するので、覆土量が減少し易い土質状態の圃場においても十分な覆土量を得ることができる。
【００３４】
（第２実施形態）
次に、図９および図１０を参照して本発明に係る農用作業機の第２実施形態を説明する。尚、以下の説明において、既に説明した施肥播種機１の部材等と同様な構成・作用を有する部材等については、図中に同一符号を付すことにより、説明を簡略化或いは省略する。図９および図１０に示されるように、本発明の第２実施形態である施肥播種機１００は、上述の施肥播種機１と比較して、覆土装置の覆土アームの構成が異なっており、それ以外の構成要素は施肥播種機１と同じである。
【００３５】
施肥播種機１００の覆土装置１３８の覆土アーム１２０は、覆土ディスク２１の位置を矢印Ａ方向と交差する方向に調節可能にし且つ覆土ディスク２１の矢印Ａ方向に対する傾斜角度を調節可能にするディスク位置角度調節機構１３９を有する。
【００３６】
平行リンク１６の一方のディスクフレーム１７側の枢支軸には、覆土アーム１２０の本体１２５の一端部に形成された筒状の枢支部材２６が回転自在に遊嵌されている。また、覆土アーム１２０の本体１２５の他端部１３２にはアーム本体保持機構１３１が取り付けられている。尚、覆土アーム１２０の本体１２５は、施肥播種機１００の本体１７の軸線と平行（換言すれば、図９の矢印Ａ方向と平行）に延長し且つ、第１実施形態の覆土アーム２０の本体２５と同様にその一端部から他端部１３２へ向かう途中の所定箇所が湾曲して下方に向かって延長されているが、その延長された部分が更に施肥播種機１００の本体１７の軸線と交差する方向（換言すれば、図９の矢印Ａ方向と交差する方向に）曲げられて他端部１３２が形成されている。
【００３７】
アーム本体保持機構１３１は、その筒状の本体１３１ａの周壁に本体１３１ａの内部空間と連通するネジ穴（不図示）を有し、そのネジ穴にネジ１３１ｃを螺合させたものであり、覆土アーム１２０の断面円形の本体１２５の他端部１３２を本体１３１ａに挿入可能で且つネジ１３１ｃで保持可能である。覆土アーム１２０の本体１２５の他端部１３２を挿入するアーム本体保持機構１３１の本体１３１ａの内部空間は、覆土アーム１２０の本体１２５の他端部１３２の軸線が覆土ディスク２１の軸線に対して交差するように延長している。つまり、アーム本体保持機構１３１の本体１３１ａの内部空間の軸線（換言すれば、覆土アーム１２０の本体１２５の他端部１３２の軸線）と覆土ディスク２１の軸線とは角度を形成している。尚、上述したディスク位置角度調節機構１３９は、アーム本体保持機構１３１および覆土アーム１２０の本体１２５の他端部１３２等を総称したものである。
【００３８】
アーム本体保持機構１３１は、覆土ディスク２１が取り付けられる覆土アーム１２０の自由端部に相当する一端部を有している。尚、覆土ディスク２１は、その中央孔がアーム本体保持機構１３１の一端部の支軸に遊嵌し、ナット１３２ｆ等により抜け止めされる。
【００３９】
このように構成されたディスク位置角度調節機構１３９によれば、ネジ１３１ｃを回動してネジ１３１ｃによる押し付けを弛めてアーム本体保持機構１３１の本体１３１ａを覆土アーム１２０の本体１２５の他端部１３２上でスライド可能且つ回動可能な状態にし、アーム本体保持機構１３１をスライドさせて覆土ディスク２１の位置を矢印Ａ方向と交差する方向における所望の位置に調節し且つアーム本体保持機構１３１を回動して覆土ディスク２１の矢印Ａ方向に対する傾斜角度を所望の角度に調節してから、ネジ１３１ｃを今度は逆方向に回動して覆土アーム１２０の本体１２５の他端部１３２を本体１３１ａに保持させる。
【００４０】
覆土装置１３８の作用について特に図１０（ａ）および図１０（ｂ）を参照しながら説明する。矢印Ａ方向に対し傾斜しながら（つまり、矢印Ａ方向と交差する方向に）延長する覆土ディスク２１が、施肥播種機１００の矢印Ａ方向への進行に伴い圃場を掻いて土を肥料および種子に被せる。例えば、土質が硬い圃場、耕起されていない圃場、等といった覆土量が減少し易い土質状態の圃場においても十分な覆土量が得られるように施肥播種機１００を効果的に作用させるには、圧縮バネ機構２４の覆土アーム１２０への付勢力（即ち、覆土ディスク２１の圃場に対する加圧力）を増加させるだけでなく、例えば図１０（ａ）から図１０（ｂ）への変化に示されるように覆土装置１３８のディスク位置角度調節機構１３９の調節も適宜行なう。尚、図１０（ｂ）では実線で示されるように覆土アーム１２０の本体１２５の他端部１３２に対してアーム本体保持機構１３１を回転させて覆土ディスク２１の矢印Ａ方向に対する傾斜角度を図１０（ａ）の実線で示される覆土ディスク２１よりも大きくしていることが理解されるであろう。尚、図１０（ａ）の２点鎖線は図１０（ｂ）の実線に相当し、そして図１０（ｂ）の２点鎖線は図１０（ａ）の実線に相当する。
【００４１】
以上、説明したように、本発明の第２実施形態である施肥播種機１００（より詳細には、覆土装置１３８）によれば、覆土装置１３８の覆土アーム１２０が、覆土ディスク２１の位置を施肥播種機１００の進行方向と交差する方向に調節可能にし且つ覆土ディスク２１の施肥播種機１００の進行方向に対する傾斜角度を調節可能にするディスク位置角度調節機構１３９を有するので、覆土量が減少し易い土質状態の圃場においても十分な覆土量を得ることができる。
【００４２】
施肥播種機１００の他の作用や効果については第１実施形態（施肥播種機１）の上記説明から類推可能であるため説明を省略する。
【００４３】
尚、本発明は、上述した実施形態に限定されるものではなく、適宜、変形，改良，等が可能である。その他、上述した実施形態における各構成要素の材質、形状、寸法、形態、数、配置箇所、等は本発明を達成できるものであれば任意であり、限定されない。
【００４４】
例えば、上述した実施形態においては、覆土アーム２０の棒状部材３２の他端部３２ｂならびに覆土アーム１２０の本体１２５の他端部１３２が断面円形のものであったが、代わりに断面正多角形のものにしてもよい。この場合、それらの正多角形の外形に合わせて、棒状部材保持機構３１の本体３１ａの内周面ならびにアーム本体保持機構１３１の本体１３１ａの内周面を形成すればよい。この変形例によれば、覆土ディスク２１の傾斜角度の多段階での調節が可能となる。
【００４５】
また、上述した実施形態は、覆土装置により覆土した土を鎮圧する鎮圧ローラー（鎮圧装置）を備えていたが、この鎮圧装置は必要に応じてディスクフレームに取り付けられるものであって、無くともよく、つまり鎮圧装置を農用作業機の本体に取り付けるか否かは任意である。
【００４６】
尚、上述した実施形態は、本発明を施肥播種機に適用して実施した形態であったが、本発明は、作溝装置により圃場に溝を形成し、該溝に被農作業対象物を配置装置により配置し、そしてその配置された被農作業対象物の少なくとも一部分を覆土装置で覆土するように構成された、例えば、播種するための播種機、施肥するための施肥機、農薬等の薬剤を播くための施薬機、苗を植え付けるための移植機、等といった農用作業機および当該農用作業機に装着可能な覆土装置に適用できることは言うまでもない。
【００４７】
尚、本発明に係る農用作業機の被農作業対象物とは、例えば本発明を播種機に適用した場合は種子であり、また例えば本発明を施肥機に適用した場合は肥料であり、また例えば本発明を施薬機に適用した場合は農薬等の薬剤であり、また例えば本発明を移植機に適用した場合は苗である。また、上述した実施形態から明らかなように、本発明に係る農用作業機の被農作業対象物が複数あってもよいことは言うまでもない。
【００４８】
尚、農用作業機に含まれる例として挙げた施薬機に本発明を適用する場合、上述した実施形態と同様な構造であって、そのホッパーに薬剤を収容する形態でも実施できる。また、特に農用作業機に含まれる例として挙げた移植機に本発明を適用する場合、その覆土装置は、溝に植え付けられる苗の少なくとも根元部分に覆土するものであることは言うまでもない。
【図面の簡単な説明】
【００４９】
【図１】本発明に係る農用作業機の第１実施形態である施肥播種機の斜視図である。
【図２】図１に示される施肥播種機のＩＩ−ＩＩ矢視断面図である。
【図３】図１の施肥播種機に設けられた覆土装置の要部（特に、ディスク位置角度調節機構）の拡大斜視図である。
【図４】図１の施肥播種機に設けられた覆土装置の覆土アームの本体の側面図である。
【図５】図４の覆土アームの本体の上面図である。
【図６】図４の覆土アームの本体の要部（特に、棒状部材保持機構）を示す図である。
【図７】図１の施肥播種機に設けられた覆土装置の覆土アームの棒状部材の側面図である。
【図８】図３の覆土装置の要部の作用を説明するための覆土装置の要部側面図である。
【図９】本発明に係る農用作業機の第２実施形態である施肥播種機の斜視図である。
【図１０】（ａ）および（ｂ）は図９の施肥播種機に設けられた覆土装置の要部（特に、アーム本体保持機構）の作用を説明するための覆土装置の要部側面図である。
【符号の説明】
【００５０】
１，１００    施肥播種機（農用作業機）
１９          作溝ディスク（作溝装置）
３６          播種装置（配置装置）
３８，１３８  覆土装置
２３          鎮圧ローラー
１７          ディスクフレーム（本体）
２０，１２０  覆土アーム
２１          覆土ディスク
２４          圧縮バネ機構（覆土アーム付勢機構）
３９，１３９  ディスク位置角度調節機構
【図１】
0004684562.tif 000002
【図２】
0004684562.tif 000003
【図３】
0004684562.tif 000004
【図４】
0004684562.tif 000005
【図５】
0004684562.tif 000006
【図６】
0004684562.tif 000007
【図７】
0004684562.tif 000008
【図８】
0004684562.tif 000009
【図９】
0004684562.tif 000010
【図１０】
0004684562.tif 000011